(57)【特許請求の範囲】
【請求項１】
かご室の上方及び下方の少なくとも一方に整風装置を設けたエレベータの乗りかごにおいて、上記整風装置が、かご室の上面側かつ乗り場フロアー側の前半部のみを覆うとともに上面にスポイラが設けられた整風板、或いはかご室の下面側かつ乗り場フロアー側の前半部のみを覆うとともに下面にスポイラが設けられた整風板からなることを特徴とするエレベータの乗りかご。
【請求項２】
一対のかご立枠と、このかご立枠の上端部間及び下端部間に連結されたかご上梁及びかご下梁とからなるかご枠内にかご室が設置され、このかご室とかご上梁との間にドア駆動装置取付台が設けられ、かご室の上方に設けた上部整風装置が、ドア駆動装置取付台から垂直にかご上梁の高さまで延びる前面整風板と、その前面整風板とかご立枠の間に配設され、前面整風板とかご立枠間の空間部を覆う逆Ｕ字状に形成された側面整風板と、上記前面整風板と側面整風板の上面に設けられたくさび型のスポイラとによって構成されていることを特徴とする、請求項１記載のエレベータの乗りかご。
【請求項３】
上部整風装置は、昇降路の後壁面と対向する面側が開口されていることを特徴とする、請求項１または２記載のエレベータの乗りかご。
【請求項４】
前面整風板には、上部整風装置内に人が立ち入ることができる、扉を有する開口部が設けられていることを特徴とする、請求項２または３のいずれかに記載のエレベータの乗りかご。
【請求項５】
側面整風板がかご立枠より後方に延出され、上部整風装置の開口部がかご立枠の後方に位置することを特徴とする、請求項２乃至４のいずれかに記載のエレベータの乗りかご。
【請求項６】
上部整風装置の各構成部品が整風装置の内側から着脱可能に連結されていることを特徴とする、請求項１乃至５のいずれかに記載のエレベータの乗りかご。
【請求項７】
一対のかご立枠と、このかご立枠の上端部間及び下端部間に連結されたかご上梁及びかご下梁とからなるかご枠内に乗りかご本体が床受け枠を介して設置され、かご室の下方に設けた下部整風装置が、床受け枠より垂下された前面整風板と、かご下梁下部と上記前面整風板の下端部との間に設けられ、前後方向に沿って湾曲された前側背面整風板と、上記前面整風板と前側背面整風板間の側面を覆う側面整風板と、前側背面整風板の下面に設けられたスポイラと、かご立枠より後側に配設され、床受け枠からかご下梁下面までの高さを有する後側整風板により構成されていることを特徴とする、請求項１記載のエレベータの乗りかご。
【請求項８】
前側背面整風板は、かご下梁下部の後側端部を覆うように湾曲されていることを特徴とする、請求項７記載のエレベータの乗りかご。
【請求項９】
後側整風板の下面とかご下梁の間を塞ぐ下面整風板を設けたことを特徴とする、請求項７または８記載のエレベータの乗りかご。
【請求項１０】
前面整風板が複数枚の単位整風板によって構成されており、その単位整風板１枚当たりの幅寸法を乗り場の出入り口幅寸法より小さくしたことを特徴とする、請求項２乃至９のいずれかに記載のエレベータの乗りかご。
【請求項１１】
上記整風装置の背面側に、かご室の後半部を覆うとともに上記整風装置の整風板より高さが低い背面整風板が設けられていることを特徴とする、請求項１乃至６のいずれかに記載のエレベータの乗りかご。
【発明の詳細な説明】
【０００１】
【発明の属する技術分野】
本発明は、整風装置を設けたロープ式エレベータの乗りかごに関する。
【０００２】
【従来の技術】
図８は、ロープ式エレベータの概略構成を示す図であって、建物の昇降路１の両側壁にそれぞれガイドレール２、２が垂直に立設されており、これらのガイドレール２、２の間に、吊りロープ３によって昇降する乗りかご本体４が昇降自在に設けられている。乗りかご本体４はかご枠４a内にかご室４bを弾性支持して構成されており、乗りかご本体４の上下には前記ガイドレール２に係合する案内装置５が取り付けられている。
【０００３】
図９は従来の整風装置を設けた乗りかごの縦断正面図、図１０はその縦断側面図であって、かご枠４aは左右２本のかご立枠１０の上端部及び下端部がそれぞれ左右方向に延びるかご上梁１１及びかご下梁１２によって互いに連結されて構成されている。上記かご立枠１０の下部には、その対向する面に床受け枠１３が固着されており、その床受け枠１３に緩衝材１４を介してかご室４bが支持されている。一方、上記かご立枠１０の上部にはそれぞれ前後方向に延びるかご腕１６が固着されており、その左右のかご腕１６の前端部に装着されたドア駆動装置取付台１７にドア駆動装置１８が固定されている。また、前記かご室４bとドア駆動装置取付台１７或いは左右のかご腕１６との間には周方向に延びる遮蔽板１９が配設されている。
【０００４】
ところで、上記かご室４bの上方および下方にはそれぞれ整風装置２０，２１が設けられている。すなわち、上部の整風装置２０は、ドア駆動装置取付台１７から垂直に上方に立ち上げられ上梁１１の高さまで延びる前面板部２０aと、かご腕１６から上梁１１の高さまで立ち上げられた断面逆Ｕ字状の側面板部２０ｂと、その側面板部２０ｂの後部を覆う背面板部２０cによって構成され、かご室４bの上面全面を覆うように形成されている。そして、上記側面板部２０ｂの前端上面に楔状のスポイラ２２が設けられている。
【０００５】
一方、下部の整風装置２１もかご敷居２３側の床受け部１３の下部より垂直下方に延びる前面板部２１aと、その前面板部２１aの後方に連結され左右の床受け枠１３に取り付けられた断面Ｕ字状の側面板部２１bと、側面板部２１bの後方に連接され、後方の床受け枠１３に取り付けられた背面板部２１cによって構成され、かご室４bの下面全面を覆うように構成されている。そして、上記側面板部２１bの下面に楔状のスポイラ２４が突設されている。なお、図中符号２５は乗り場フロアーである。
【０００６】
このように構成された乗りかごが昇降すると、整風装置２０、２１の前部と楔状のスポイラ２２、２４によって乗りかご前面に流れる空気が整流され、剥離等による風音発生が防止される。
【０００７】
このように、従来のロープ式エレベータにおいては、エレベータの乗りかごの昇降速度が速くなるにしたがって大きくなる風音に対処するために、かご室４bの上方および下方に流線型でかご室４bの上方および下方を覆うフルカプセル型の整風装置２０、２１が設けられている。
【０００８】
【発明が解決しようとする課題】
しかしながら、このようにかご室４bの上方および下方にフルカプセル型の整風装置２０、２１を設けたものにおいては、かご室４bの上方および下方が整風装置２０、２１によって密封されているので、その整風装置２０、２１内に配設されている機器の保守点検が困難であり、またその整風装置２０、２１の据え付け作業も困難である等の問題がある。また、下部の整風装置２１をフルカプセル型とした場合には、昇降路１の下端部に設けられているピット内のピット機器との干渉が問題となり、ピット機器回避のために整風装置に多数の切り欠きが必要になり、構造が複雑になり、構成部品の点数が増え、据付工数も増える等の問題がある。
【０００９】
本発明は、このような点に鑑み、かご室前半部の整流効果を優先させて整風装置の構成部品を減らし、取り付け調整作業を容易にし、且つ必要な整風効果を得られるようにした整風装置を設けたエレベータの乗りかごを得ることを目的とする。
【００１０】
【課題を解決するための手段】
請求項１に係る発明は、かご室の上方及び下方の少なくとも一方に整風装置を設けたエレベータの乗りかごにおいて、上記整風装置が、かご室の上面側かつ乗り場フロアー側の前半部のみを覆うとともに上面にスポイラが設けられた整風板、或いはかご室の下面側かつ乗り場フロアー側の前半部のみを覆うとともに下面にスポイラが設けられた整風板からなることを特徴とする。
【００１１】
請求項２に係る発明は、請求項１に係る発明において、一対のかご立枠と、このかご立枠の上端部間及び下端部間に連結されたかご上梁及びかご下梁とからなるかご枠内にかご室が設置され、このかご室とかご上梁との間にドア駆動装置取付台が設けられ、かご室の上方に設けた上部整風装置が、ドア駆動装置取付台から垂直にかご上梁の高さまで延びる前面整風板と、その前面整風板とかご立枠の間に配設され、前面整風板とかご立枠間の空間部を覆う逆Ｕ字状に形成された側面整風板と、上記前面整風板と側面整風板の上面に設けられたくさび型のスポイラとによって構成されていることを特徴とする。
【００１２】
請求項３に係る発明は、請求項１または２に係る発明において、上部整風装置は、昇降路の後壁面と対向する面側が開口されていることを特徴とする。
【００１３】
請求項４に係る発明は、請求項２または３のいずれかに係る発明において、前面整風板には、整風装置内に人が立ち入ることができる、扉を有する開口部が設けられていることを特徴とする。
【００１４】
請求項５に係る発明は、請求項２乃至４のいずれかに係る発明において、側面整風板がかご立枠より後方に延出され、上部整風装置の開口部がかご立枠の後方に位置することを特徴とする。
【００１５】
請求項６に係る発明は、請求項１乃至５のいずれかに係る発明において、上部整風装置の各構成部品が整風装置の内側から着脱可能に連結されていることを特徴とする。
【００１６】
請求項７に係る発明は、請求項１に係る発明において、一対のかご立枠と、このかご立枠の上端部間及び下端部間に連結されたかご上梁及びかご下梁とからなるかご枠内に乗りかご本体が床受け枠を介して設置され、かご室の下方に設けた下部整風装置が、床受け枠より垂下された前面整風板と、かご下梁下部と上記前面整風板の下端部との間に設けられ、前後方向に沿って湾曲された前側背面整風板と、上記前面整風板と前側背面整風板間の側面を覆う側面整風板と、前側背面整風板の下面に設けられたスポイラと、かご立枠より後側に配設され、床受け枠からかご下梁下面までの高さを有する後側整風板により構成されていることを特徴とする。
【００１７】
請求項８に係る発明は、請求項７に係る発明において、前側背面整風板は、かご下梁下部の後側端部を覆うように湾曲されていることを特徴とする。
【００１８】
請求項９に係る発明は、請求項７または８に係る発明において、後側整風板の下面とかご下梁の間を塞ぐ下面整風板を設けたことを特徴とする。
【００１９】
請求項１０に係る発明は、請求項２乃至９のいずれかに係る発明において、前面整風板が複数枚の単位整風板によって構成されており、その単位整風板１枚当たりの幅寸法を乗り場の出入り口幅寸法より小さくしたことを特徴とする。
【００２０】
【発明の実施の形態】
以下、図１乃至図７を参照して本発明の実施の形態について説明する。なお、図中図９、１０と同一部品には同一符号を付し詳細な説明は省略する。
【００２１】
図１は、本発明のエレベータの乗りかごの第１の実施の形態を示す縦断正面図、図２はその縦断側面図であって、乗りかご本体４はかご枠４a内にかご室４bが設置されて構成されている。かご室４bの上方には上部整風装置３０が配設されている。すなわち、かご室４bとかご上梁１６との間のドア駆動装置取付台１７上には上方に垂直にかご上梁１１の高さまで延びる前面整風板３０aが固着されており、その前面整風板３０aの背面側には、前面整風板３０aとかご立枠１０間の空間部、すなわちかご室４ｂの上面前半部のみを覆うとともに、昇降路１の後面壁側が開放するように断面逆Ｕ字状に形成された側面整風板３０bが連結され、その両下端部に形成された内向きフランジ３０ｂ１がかご腕１６及びドア駆動装置取付台１７上に装着されている。そして、上記前面整風板３０a及び側面整風板３０bの上面にくさび形のスポイラ３１が立設されている。また、かご立て枠１０の背面側にはかご室４bの後半部を覆う高さが低い背面整風板３２が設けられている。かご室４bの上面とドア駆動装置取付台１７或いは左右のかご腕１６との間には周方向に延びる遮蔽板１９が配設されている。
【００２２】
なお、かご室４b上には安全装置等の機器が取り付けられており、これら機器の存在により整風板の一部を切り欠く必要がある場合には、その切り欠きにより生じた隙間部分は遮音のために塞ぐようにする。また、整風装置内面には整風板が風を受けることによる振動から生じる音を押さえるために制振材を貼付することもできる。前面整風板３０aには、整風装置３０内に乗り場側から人が立ち入ることができるように開口部３３aおよび扉３３bが設けられている。この開口部３３aの扉３３bは乗り場側から開閉操作可能に構成されている。
【００２３】
図３は、上記前面整風板３０a部の正面図であり、前面整風板３０aは右側前面単位整風板３０a１と左側前面単位整風板３０a２に２分割されており、その高さ方向中間部分に開口部３３aおよび扉３３bが設けられるとともに、扉３３bは乗り場側から開閉操作可能に取り付けられ、さらにその下部に、ドア駆動装置１８の保守用の塞ぎ板３４が乗り場側から着脱可能に、且つドア駆動装置１８のリンク機構３５を回避するように取り付けられている。そして、各単位整風板３０a１と整風板３０a２は、乗り場の出入り口幅より小さい寸法に構成されており、乗り場から出し入れができるようになっている。
【００２４】
このように構成された乗りかごが上昇すると、前面整風板３０aとくさび形スポイラ３１により、乗りかごの前面に流れる空気が整流され、空気が背面側に流され急激な圧力変動が抑えられ、剥離等による風音の発生が防止される。また、側面整風板３０bにより、乗りかごの側面に流れる空気も整流され、風音が低減される。このようにして、エレベータの乗りかごの周辺の整流効果及び風切り音の低減効果を得ることができる。さらに、整風装置３０の形状を上述のようにすることによって、或程度の整風性能を維持しながら、構成を単純化することができ、各構成部品同士の突き合わせ部分を従来よりも減らすことができ、取り付け作業を容易にすることができる。また、整風装置３０のかご立枠１０より背面側の昇降路１の後面壁１aと対向する面が開放されているので、乗りかごの据付調整及び保守時における作業スペースが十分とれ、作業性を向上することができる。なお、上記実施の形態においては前面整風板３０aを２分割したものを示したが、側面整風板３０bを複数に分割して構成することもでき、各整風板の連結部には整風装置内に突出するフランジを設け、整風装置内から上記フランジをボルト等によって連結固定することによって、取り付け作業を容易にすることができる。
【００２５】
図４は、本発明の第２の実施の形態を示す図であり、側面整風板３６がかご立て枠１０より若干背面側に延ばされている。しかして、この場合には乗りかご１５の背面側へ流れる空気の整流効果をより向上させることができる。
【００２６】
図５及び図６は本発明の第３の実施の形態を示す図であって、かご室４bの下方に下部整風装置４０を設けた場合を示している。すなわち、かご敷居４１が設けられた床受け枠１３の下部には垂直下方に延びる前面整風板４２が設けられており、その前面整風板４２の背面側には、前面整風板４２の下端部とかご下梁１２の下端部との間に前後方向に沿って湾曲された前側背面整風板４３が取り付けられている。この前側背面整風板４３は、前面整風板４２の下端部から斜め上方に傾斜した傾斜部４３aと、その傾斜部４３aに続いて下面が凹状に屈曲された湾曲部４３bとからなり、その前側背面整風板４３の上端がかご下梁１２の前面側に取り付けられている。また、前面整風板４２と前側背面整風板４３間の両側面には前面整風板４２と前側背面整風板４３に接するように側面整風板４４が設けられている。これにより、かご室４bの下面側前半部が覆われるとともに、前面整風板４２と前側背面整風板４３とによってスポイラとしての機能が強化される。なお、上記前面整風板４２と前側背面整風板４３の下端には、各整風板４２、４３に連結する面を有する楔状のスポイラ４５が設けられている。さらに、かご立枠１０より背面側の床受け枠１３には後側整風板４６の上端部が装着されており、その後側整風板４６の前端がかご下梁１２の背面に固着され、後側整風板４６からかご下梁１２の下面に下面整風板４７が取り付けられている。
【００２７】
なお、かご下機器の存在及び制御電線の導入口として整風板の一部を切り欠く必要がある場合には、切り欠いたことにより生じた隙間部分は遮音のために塞ぐようにする。また整風装置４０の内面には、整風板が風を受けることによる振動から生じる音を抑えるために制振材を貼付することもできる。前面整風板４２には必要に応じて点検扉を設けることもできる。この場合には下部整風装置を取り外すことなく上記点検扉を介してかご下機器等の点検を行うことができる。
【００２８】
図７は、図６の変形を示す図であり、前側背面整風板４３の湾曲部先端がかご下梁１２の下面後側端部まで覆うようにしてある。その他の点は図６に示すものと同一である。
【００２９】
しかして、これらの場合にも乗りかごが下降すると、楔形のスポイラ４５および前面整風板４２と前側背面整風板４３により乗りかご前面への空気の流入を抑えて背面側に空気を流し、急激な圧力変動を抑えることができる。また、側面整風板４４により乗りかご１５の側面へ流れる空気を整流し、風音の低減を図ることができる。しかも、上記下部整風装置４０は前部のみが下方に大きく突出しており、背面側が低くしてあるため、或程度の整風性能を維持しながら背面側のスペースを確保することができ、ピット機器の取り付けスペースを十分確保することができる。また、後側整風板４６を取り外せば、ピットから点検作業が行える。
【００３０】
【発明の効果】
本発明は上述のように構成したので、前面整風板と楔形のスポイラにより乗りかご前面へ流れる空気を整流し、剥離等による風音発生を防止し、エレベータ乗りかご周辺の整流効果及び風切り音の低減化を図ることができる。しかも、従来のものに比し部品点数を削減することができ、また各整風板同士の突き合わせ調整についても突き合わせ部が減少することによって容易となる。また、かご室の上方における上部整風装置に於いては、かご室上面全体を覆わないようにしたので、エレベータそのものの据付及び調整、保守時における作業スペースをかご室上面の後半部分に確保することができ、作業の安全性と作業性を向上させることができる。
【図面の簡単な説明】
【図１】本発明の第１の実施に形態の正断面部分図。
【図２】上記第１の実施の形態の側断面部分図。
【図３】本発明における前面整風板部の正面図。
【図４】本発明の第２の実施の形態の側断面部分図。
【図５】本発明の第３の実施の形態の正断面部分図。
【図６】上記第３の実施の形態の側断面部分図。
【図７】第３の実施の形態の変形例を示す図。
【図８】ロープ式エレベータの構成図。
【図９】従来のエレベータの乗りかご部の正断面図。
【図１０】図９の側断面図。
【符号の説明】
１  昇降路
２  ガイドレール
４  かご枠
１０  かご枠
１１  かご上梁
１２  かご下梁
１３  床受け枠
１５  乗りかご
１６  かご腕
１７  ドア駆動装置取付台
３０  上部整風装置
３０a   前面整風板
３０b   側面整風板
３１    スポイラ
３２    背面整風板
３３    出入口扉
３４    塞ぎ板
３６    側面整風板
４０    下部整風装置
４１    かご敷居
４２    前面整風板
４３    前側背面整風板
４４    側面整風板
４５    スポイラ
４６    後側整風板
４７    下面整風板
【図１】
0004855604.tif 000002
【図２】
0004855604.tif 000003
【図３】
0004855604.tif 000004
【図４】
0004855604.tif 000005
【図５】
0004855604.tif 000006
【図６】
0004855604.tif 000007
【図７】
0004855604.tif 000008
【図８】
0004855604.tif 000009
【図９】
0004855604.tif 000010
【図１０】
0004855604.tif 000011